【事件の表示】
　平成　５年特許願第２１１７４９号「遊技機」拒絶査定不服審判事件〔平成　７年　３月　７日出願公開、特開平　７−　５９９２７〕について、次のとおり審決する。
【結　論】
　本件審判の請求は、成り立たない。
【理　由】
　
第１，手続きの経緯
　本願は、平成５年８月２６日の出願であって、平成１４年９月２０日付けで拒絶理由が通知され、これに対し、同年１０月３０日付けで手続補正がなされ、平成１５年７月３０日付けで拒絶査定がなされ、これに対し、同年９月３日に拒絶査定に対する審判請求がなされたものである。
　
第２，本願発明
　本願の請求項１及び２に係る発明は、上記平成１４年１０月３０日付けで補正された明細書の記載からみて、その特許請求の範囲の請求項１及び２に記載されたとおりのものと認められるところ、その請求項１に記載された発明は次のとおりのものである。
　【請求項１】球を誘導する誘導制御装置を備えた遊技機であって、
　前記誘導制御装置は、球が通過する内部流路がそれぞれ形成された複数個のユニットを備え、
　前記複数個のユニットのうちの上側ユニットの下部の内部流路出口の流路壁と、その上側ユニットの下方に隣接して設置された下側ユニットの内部流路入口の流路壁には、上側ユニットから下側ユニットへ送り込まれる球の流れを円滑化する誘導部をそれぞれ形成し、
　前記上側ユニットの誘導部は、その内部流路出口の流路壁の厚さが下方へ向けて漸減する傾斜状の面取り部によって構成され、
　前記下側ユニットの誘導部は、その内部流路入口の流路壁の厚さが上方へ向けて漸減する傾斜状の面取り部によって構成されていることを特徴とする遊技機。（以下「本願発明」という）
　
第３，刊行物に記載された発明
　刊行物１：特開平５−７６６５０号公報（平成５年３月３０日公開）
　刊行物２：実願平２−１１５１４５号（実開平４−７１９８７号）の
　　　　　　マイクロフィルム
　刊行物３：実願昭５９−７４２７１号（実開昭６０−１８４５８２号）の
　　　　　　マイクロフィルム
　
　原査定の拒絶理由通知に引用された、特開平５−７６６５０号公報（以下「刊行物１」という）には、次の事項が記載されている。
　「【０００７】
【実施例】以下、図面を参照して本発明の実施例について説明する。実施例に係る景品玉払出装置３０が応用される弾球遊技機の一例としてのパチンコ遊技機１の裏面に配置される機構板２の構成について説明する。・・・」
　「【００２２】
景品玉払出装置
次に、景品玉払出装置３０について図５乃至図８を参照して説明する。・・・図において、景品玉払出装置３０は、上部景品玉収容筒３２ａ〜３２ｃが形成された上部収容筒体３１ａと下部景品玉収容筒６０ａ〜６０ｃが形成された下部収容筒体３１ｂとの２つに分割された品玉収容筒本体３１と、・・・と、から成る。
【００２３】そこで、まず、上部収容筒体３１ａの構成について説明する。上部収容筒体３１ａは、機構板２の後述する収容凹部７６に当接して取り付けられる上部取付板３３と直交する方向の前面側に形成される上部景品玉収容筒３２ａ〜３２ｃと、該上部景品玉収容筒３２ａ〜３２ｃの上部に回動自在に軸支される上部玉ストッパー３７ａ，３７ｂと、前記上部景品玉収容筒３２ａ〜３２ｃの背面を上下方向に摺動する上下摺動部材４９ａ，４９ｂとから構成される。
【００２４】前記上部取付板３３と上部景品玉収容筒３２ａ〜３２ｃは、合成樹脂によって一体的に形成されている。上部景品玉収容筒３２ａ〜３２ｃは、前記屈曲樋９の流下端から流入する景品玉を所定個数（例えば、３〜４個）収容するように筒状に形成されている。・・・そして、この上部取付板３３は、後述するように機構板２に対してビス３６によって止着されるようになっている。」
　「【００２８】次に、下部収容筒体３１ｂの構成について説明すると、下部収容筒体３１ｂは、機構板２の後述する収容凹部７６に当接して取り付けられる下部取付板６１と直交する方向の前面側に形成される下部景品玉収容筒６０ａ〜６０ｃと、該下部景品玉収容筒６０ａ〜６０ｃの上部に回動自在に軸支される下部玉ストッパー６７ａ，６７ｂとから構成される。
【００２９】前記下部取付板６１と下部景品玉収容筒６０ａ〜６０ｃは、合成樹脂によって一体的に形成されている。下部景品玉収容筒６０ａ〜６０ｃは、その上端が前記上部景品玉収容筒３２ａ〜３２ｃに当接して該上部景品玉収容筒３２ａ〜３２ｃから流入する景品玉を収容するように筒状に形成されている。・・・そして、この下部取付板６１は、後述するように機構板２に対して着脱自在に取り付けられるようになっている。・・・」
　「【００３４】しかして、上部収容筒体３１ａと下部収容筒体３１ｂとを機構板２に取り付けるには、まず、上部収容筒体３１ａの上部取付板３３の取付係合片３４を係止溝突片７７ａに差し込み、その後、取付嵌合穴３５をビス止めボス７８に差し込んで上部収容筒体３１ａを収容凹部７６にセットする。その後、取付嵌合穴３５の前方からビス３６を螺着することにより、上部収容筒体３１ａを機構板２に固定する。したがって、上部収容筒体３１ａは、ビス３６を弛めない限り取り外すことができない構造となっている。
【００３５】次に、下部収容筒体３１ｂの下部取付板６１の右側の下部を係止溝突片７７ｂに差し込み、その後、下部取付板６１の左側端を固定爪７９の内側に入るように押し込み、係合凸部６２を固定爪７９に係合することにより、下部収容筒体３１ｂを機構板２に固定する。このように、下部収容筒体３１ｂは、上記した上部収容筒体３１ａと異なり、ビスで止着せずに固定爪７９の先端を横方向に押し広げて下部収容筒体３１ｂを手前側に引き出すだけで取り外せる構造となっている。これは、前記したように、下部玉ストッパー６７ａ，６７ｂが設けられる下部収容筒体３１ｂだけを交換すれば、景品玉払出装置３０全体の景品玉の払出数を変化させることができるため、景品玉数の種類に応じた下部収容筒体３１ｂを取り付けることにより、排出される景品玉数が異なる景品玉払出装置３０を容易に完成させるためであると共に、下部収容筒体３１ｂの交換作業を簡単に行うために採用された構造である。・・・
【００３６】上記したように機構板２に取り付けられた上部収容筒体３１ａと下部収容筒体３１ｂとの作用について以下説明する。・・・したがって、景品玉は、前記屈曲樋９から景品玉収容筒３２ａ〜３２ｃ、６０ａ〜６０ｃ内に流れ込み、下部玉ストッパー６７ａ〜６７ｃのストッパー部６９ａ〜６９ｃで係止された第１の状態となっている。
【００３７】・・・下部玉ストッパー６７ａ，６７ｂがフリーな状態になると、景品玉収容筒３２ａ〜３２ｃ、６０ａ〜６０ｃ内に収容されていた景品玉の玉圧によりストッパー部６９ａ〜６９ｃが押圧されて回動し、景品玉収容筒３２ａ〜３２ｃ、６０ａ〜６０ｃ内に収容されていた景品玉が前記景品玉排出通路１４に払出される。・・・
【００３８】このように、景品玉払出装置３０は、上部玉ストッパー３７ａ，３７ｂと下部玉ストッパー６７ａ，６７ｂとを交互に開閉させることにより、景品玉を景品玉収容筒３２ａ〜３２ｃ、６０ａ〜６０ｃ内へ供給する第１の状態と、景品玉を景品玉収容筒３２ａ〜３２ｃ、６０ａ〜６０ｃから排出する第２の状態とを繰り返すようになっている。そして、第１の状態と第２の状態をスムーズに繰り返すためには、景品玉収容筒３２ａ〜３２ｃ、６０ａ〜６０ｃにおける景品玉の流下がスムーズに行われることが望ましい。このため、図９に示すように、下部景品玉収容筒６０ａ〜６０ｃの上部開口部分だけが大きくなるように、傾斜面８０を形成することにより、上部景品玉収容筒３２ａ〜３２ｃと下部景品玉収容筒６０ａ〜６０ｃとの接続部において、段差が生じないので、景品玉の排出がスムーズに行われる。・・・」
　「【００４０】以上、説明したように、本実施例における景品玉払出装置３０においては、景品玉収容筒体本体３１を上部玉ストッパー３７ａ，３７ｂが設けられる上部収容筒体３１ａと下部玉ストッパー６７ａ，６７ｂが設けられる下部収容筒体３１ｂとに分割して形成し、景品玉数の種類に関係する下部収容筒体３１ｂを機構板２に対して着脱自在に取付可能としたので、共通部品である上部収容筒体３１ａを取り付ける際には、格別の注意を必要とすることなくスムーズに取り付けることができ、一方、上部収容筒体３１ａを取り付けた機構板２に対して、景品玉数の種類に応じた下部収容筒体３１ｂを取り付けることにより、排出される景品玉数の異なる景品玉払出装置３０を完成させることができる。・・・」
　
　また、他の実施例に係る景品玉払出装置の側方断面図である【図９】には、「上部収容筒体３１ａの下方に隣接して下部収容筒体３１ｂが設置」され、「下部景品玉収容筒６０ｃの上部開口部分に、筒壁の厚さが上方へ向けて漸減する傾斜面８０が筒内壁側に形成」されていることが示されている。
　
　したがって、これらの事項を併せると、刊行物１には、　
「景品玉を景品玉収容筒３２ａ〜３２ｃ、６０ａ〜６０ｃ内へ供給する第１の状態と、景品玉を景品玉収容筒３２ａ〜３２ｃ、６０ａ〜６０ｃから景品玉排出通路１４に排出する第２の状態とを繰り返す景品玉払出装置３０を備えたパチンコ遊技機１であって、
　前記景品玉払出装置３０は、屈曲樋９の流下端から流入する景品玉を所定個数収容するように筒状に形成されている上部景品玉収容筒３２ａ〜３２ｃが形成された上部収容筒体３１ａと、その上端が前記上部景品玉収容筒３２ａ〜３２ｃに当接して該上部景品玉収容筒３２ａ〜３２ｃから流入する景品玉を収容するように筒状に形成されている下部景品玉収容筒６０ａ〜６０ｃが形成された下部収容筒体３１ｂとを備え、
　上部収容筒体３１ａの上部景品玉収容筒３２ａ〜３２ｃとその上部収容筒体３１ａの下方に隣接して設置された下部収容筒体３１ｂの下部景品玉収容筒６０ａ〜６０ｃとの接続部において、下部景品玉収容筒６０ａ〜６０ｃの上部開口部分に、筒壁の厚さが上方へ向けて漸減する傾斜面８０を筒内壁側に形成することにより、景品玉の排出がスムーズに行われるパチンコ遊技機１」の発明（以下「引用発明１」という）が記載されていると認められる。
　
　本願出願前に頒布された、実願平２−１１５１４５号（実開平４−７１９８７号）のマイクロフィルム（以下、「刊行物２」という）には、次の事項が記載されている。
　明細書第２頁第１２行には、「本考案はパチンコ機用景品球放出装置に関する」と、
　明細書第７頁第５行乃至第１０行には、「３は球タンクの下部の開口に接続した誘導樋、５は装置枠であつて前記誘導樋３の末端部の球を通す誘導路４を挿入て球を一列に通し、誘導路４の下部に球Ｘの２個余りの間隔６を置いて放出パイプ８を設け、これを装置枠５の下部に突出させる。」と、
　明細書第１１頁第１１行乃至第１３行には、「スター形ホイル７、７及び係止ホイル９、９が回転自由になり、球Ｘを放出パイプ８に入れて放出する。」と、それぞれ記載されている。
　また、正面図である第２図及び第３図並びに切断平面図である第５図に示された事項を併せると、図面には「放出パイプ８の下端の部分は、その壁の厚さが下方へ向けて漸減する傾斜状部によって構成されている」事項が示されている。
　
　したがって、これらの記載と、図面に示された事項を併せると、刊行物２には、
　「装置枠５の下部に突出させた放出パイプ８の下端の球放出部分は、その壁の厚さが下方へ向けて漸減する傾斜状部によって構成されている、パチンコ機用景品球放出装置の放出パイプ８」の発明（以下「引用発明２」という）が、記載されていると認められる。
　　
　本願出願前に頒布された、実願昭５９−７４２７１号（実開昭６０−１８４５８２号）のマイクロフィルム（以下「刊行物３」という）には、次の事項が記載されている。
　明細書第２頁第９行乃至第１２行には、「この考案は、パチンコ遊技機あるいはアレンジボール遊技機、雀球遊技機その他弾性球を利用した遊技機における通過球の検出装置に利用して有効な技術に関し、・・・」と、
　明細書第６頁第１７行乃至第７頁第４行には、「通過検出装置１は、・・・遊技盤前面にこれを止着するためのビス等が挿入可能な止着部２ａを有する略コの字状の検出装置本体２と、この検出装置本体２の前面開口部を覆うように装着される前面板３と、・・・とにより構成してある。」と、
　明細書第８頁第１行乃至第９行には、「一方、上記前面板３の裏面には、・・・上下にそれぞれ傾斜部３ａ，３ｂを形成してある。前面板３は、・・・検出装置本体２の前端に固着される。・・・」と、
　明細書第１１頁第１７行乃至第１２頁第１行には、「通過検出装置１が固定された状態で、通過検出装置１上端の流入口１ａに偶発的に入った打球Ｂは、近接スイッチ２０の貫通孔２１を通過することにより検出されて、下方の流出口１ｂから再び遊技盤前面の遊技部内へ流下する。」と、
　明細書第１９頁第２行乃至第１０行には、「この考案は、遊技盤前面の遊技部内に設けられ、そこを通過した打球を検出するようにされる通過検出装置の本体に・・・とともに、その流入口から流出口まで速やかに打球を案内するような構造としたので、・・・」と、それぞれ記載されている。
　また、第１図乃至第３図に示された事項を併せると、図面には「検出装置１の下端には流出口１ｂが設けられ」、「前面板３下方の壁の厚さが下方へ向けて漸減するよう構成されている」事項が示されている。
　
　したがって、これらの記載と、図面に示された事項を併せると、刊行物３には、　
「上端の流入口１ａから下端の流出口１ｂまで通過する打球を速やかに案内する遊技機における通過球の検出装置１であって、検出装置本体２の前端に固着される前面板３の裏面下部には、前面板３下方の壁の厚さが下方へ向けて漸減するよう傾斜部３ｂを形成してある通過球の検出装置１」の発明（以下「引用発明３」という）が記載されていると認められる。
　　
第４，本願発明と引用発明１との比較・検討　
　引用発明１の「景品玉」は本願発明の「球」に相当し、以下同様に「上部景品玉収容筒３２ａ〜３２ｃ」及び「下部景品玉収容筒６０ａ〜６０ｃ」は「球が通過する内部流路」に、「上部収容筒体３１ａ」は「上側ユニット」に、「下部収容筒体３１ｂ」は「下側ユニット」に、「上部収容筒体３１ａ」及び「下部収容筒体３１ｂ」は「複数個のユニット」に、それぞれ相当する。また、引用発明１の「景品玉払出装置３０」は、屈曲樋９の流下端から流入する景品玉を収容し景品玉排出通路１４に排出するものであるから、本願発明の「球を誘導する誘導制御装置」に相当する。さらに、引用発明１の「傾斜面８０」は、上部景品玉収容筒３２ａ〜３２ｃと下部景品玉収容筒６０ａ〜６０ｃとの接続部において、景品玉の排出をスムーズに行わせるために下部景品玉収容筒６０ａ〜６０ｃの上部開口部分の筒内壁側に形成されたものであるから、本願発明の「下側ユニットの内部流路入口の流路壁に形成された、上側ユニットから下側ユニットへ送り込まれる球の流れを円滑化する誘導部」及び「その内部流路入口の流路壁の厚さが上方へ向けて漸減する傾斜状の面取り部によって構成されている下側ユニットの誘導部」に相当する。したがって、両者の一致点及び相違点は次のとおりである。
　
　一致点
　球を誘導する誘導制御装置を備えた遊技機であって、
　前記誘導制御装置は、球が通過する内部流路がそれぞれ形成された複数個のユニットを備え、
　前記複数個のユニットのうちの上側ユニットの下方に隣接して設置された下側ユニットの内部流路入口の流路壁には、上側ユニットから下側ユニットへ送り込まれる球の流れを円滑化する誘導部を形成し、
　前記下側ユニットの誘導部は、その内部流路入口の流路壁の厚さが上方へ向けて漸減する傾斜状の面取り部によって構成されていることを特徴とする遊技機。
　
　相違点
　（Ａ）球の流れを円滑化するために、本願発明では、上側ユニットの下部の内部流路出口の流路壁に、内部流路出口の流路壁の厚さが下方へ向けて漸減する傾斜状の面取り部が構成されているのに対し、引用発明ではそのような構成を備えていない点
　
　そこで、上記相違点について検討する。
　相違点（Ａ）について
　下部に流路出口が形成され、当該流路出口の流路壁の厚さが下方へ向けて漸減する傾斜状の部分を有する技術は、例えば、引用発明２における「放出パイプ８に設けられた傾斜状部」及び引用発明３における「前面板３に設けられた傾斜部３ｂ」に示されるように周知・慣用の技術である。そして、壁の厚さを傾斜状に漸減させる技術として面取り部を採用することは当業者が容易になし得る設計上の事項であるから、上記の周知・慣用の技術を引用発明１の「上側ユニットの下部の内部流路出口（上部収容筒体３１ａの上部景品玉収容筒３２ａ〜３２ｃ）」に適用する際に傾斜状部を面取り部として、相違点（Ａ）に係る構成とすることは引用発明１及び周知・慣用の技術に基づいて当業者が容易になし得たものである。
　そして、効果においても格別のものは認められない。　
　
　したがって、本願発明は、引用発明１及び周知・慣用の技術に基づいて当業者が容易に発明をすることができたものである。
　
第５，むすび
　以上のとおり、本願発明は、引用発明１及び周知・慣用の技術に基づいて当業者が容易に発明をすることができたものであるから、本願の他の請求項に係る発明について検討するまでもなく、本願は、特許法第２９条第２項の規定により、特許を受けることができない。
　よって、結論のとおり審決する。